(57)【要約】【課題】消費電力が抑制された無線端末、制御装置、および無線通信システムを提供する。【解決手段】無線端末は、時分割多重アクセス方式のタイムスロットに同期して受信された下り無線信号の受信強度情報を検出する第１通信回路と、キャリアセンスを用いたアクセス方式によって上り無線信号を送信する第２通信回路と、受信強度情報の送信イベントが検出された場合に、前記受信強度情報を上り無線信号においてタイムスロットに同期したタイミングで送信するために第２通信回路を起動状態に制御する制御回路と、を備える。【選択図】図２
2020092356.tif 000002
【特許請求の範囲】
【請求項１】
時分割多重アクセス方式のタイムスロットに同期して受信された下り無線信号の受信強度情報を検出する第１通信回路と、
キャリアセンスを用いたアクセス方式によって上り無線信号を送信する第２通信回路と、
前記受信強度情報の送信イベントが検出された場合に、前記受信強度情報を前記上り無線信号において前記タイムスロットに同期したタイミングで送信するために前記第２通信回路を起動状態に制御する制御回路と、
を備えた、無線端末。
【請求項２】
前記制御回路は、
前記タイムスロットに同期して前記第２通信回路に前記受信強度情報を送信させるための制御信号を前記第２通信回路に出力する、
請求項１に記載の無線端末。
【請求項３】
前記制御回路は、
前記受信強度情報の送信後に前記第２通信回路をスリープ状態に制御するための制御信号を前記第２通信回路に出力する、
請求項２に記載の無線端末。
【請求項４】
前記送信イベントは、制御装置からの前記受信強度情報の送信要求を示す下り無線信号の受信が検出されたことである、
請求項１から３のいずれか１項に記載の無線端末。
【請求項５】
前記送信イベントは、前記第１通信回路において前記制御装置宛の送信データの発生が検出されたことである、
請求項１から４のいずれか１項に記載の無線端末。
【請求項６】
前記送信データは、音声データである、
請求項５に記載の無線端末。
【請求項７】
時分割多重アクセス方式のタイムスロットに同期して、受信電界強度情報の送信要求を示す下り無線信号を送信する第１通信回路と、
前記送信要求の受信に応じてキャリアセンスを用いたアクセス方式が起動状態に制御された端末から、前記端末での前記下り無線信号の受信強度情報を、前記キャリアセンスを用いたアクセス方式によって前記タイムスロットに同期して送信された上り無線信号において受信する第２通信回路と、
を備えた、制御装置。
【請求項８】
前記端末から受信した前記受信強度情報を、前記端末の位置を推定するサーバへ出力する制御回路を備えた、
請求項７に記載の制御装置。
【請求項９】
請求項１から６のいずれか１項に記載の無線端末と、
請求項７又は８に記載の制御装置と、
を備えた、無線通信システム。
【発明の詳細な説明】
【技術分野】
【０００１】
本開示は、無線端末、制御装置、および無線通信システムに関する。
【背景技術】
【０００２】
無線通信端末の小型化に伴い、無線通信端末の消費電力抑制に対する需要が高まっている。そこで、消費電力を抑制した無線通信の手法が提案されている（特許文献１）。また、無線通信端末の普及に伴い、無線通信端末の位置推定に対する需要も高まっている。
【先行技術文献】
【特許文献】
【０００３】
【特許文献１】特開２０１７−６０１５６号公報
【発明の概要】
【発明が解決しようとする課題】
【０００４】
本開示の一態様は、消費電力が抑制された無線端末、制御装置、および無線通信システムの提供に資する。
【課題を解決するための手段】
【０００５】
本開示の一態様に係る無線端末は、時分割多重アクセス方式のタイムスロットに同期して受信された下り無線信号の受信強度情報を検出する第１通信回路と、キャリアセンスを用いたアクセス方式によって上り無線信号を送信する第２通信回路と、前記受信強度情報の送信イベントが検出された場合に、前記受信強度情報を前記上り無線信号において前記タイムスロットに同期したタイミングで送信するために前記第２通信回路を起動状態に制御する制御回路と、を備える構成を採る。
【０００６】
本開示の一態様に係る制御装置は、時分割多重アクセス方式のタイムスロットに同期して、受信電界強度情報の送信要求を示す下り無線信号を送信する第１通信回路と、前記送信要求の受信に応じてキャリアセンスを用いたアクセス方式が起動状態に制御された端末から、前記端末での前記下り無線信号の受信強度情報を、前記キャリアセンスを用いたアクセス方式によって前記タイムスロットに同期して送信された上り無線信号において受信する第２通信回路と、を備える構成を採る。
【０００７】
本開示の一態様に係る無線通信システムは、本開示に係る無線端末と、本開示に係る制御装置と、を備える構成を採る。
【０００８】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、消費電力が抑制された無線端末、制御装置、および無線通信システムを提供できる。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】ＣＳＭＡ（Carrier Sense Multiple Access）方式で送受信される信号の構成の一例を示す図
【図２】実施の形態１に係る無線通信システムの構成の一例を示す図
【図３】実施の形態１に係るネットワーク上で送受信される信号（フォーマット）の構成の一例を示す図
【図４】実施の形態１に係るサーバがＲＳＳＩ（Received Signal Strength Indicator）情報を収集する動作シーケンスの一例を示す図
【図５】実施の形態１に係るシステムの送受信タイムチャートの一例を示す図
【発明を実施するための形態】
【００１２】
無線通信端末の位置推定手法として広く知られているＧＰＳ（Global Positioning System）を、屋内にある無線通信端末の位置推定に用いることは、困難である。そこで、屋内にある無線通信端末の位置推定の手法として、無線ＬＡＮまたはＢｌｕｅｔｏｏｔｈ（登録商標）で送受信される無線信号の、受信信号強度（ＲＳＳＩ）、到来時間（ＴＯＡ，Time Of Arrival）、到来方向（ＡＯＡ，Angle Of Arrival）、または位置指紋（fingerprint）といった情報を用いる手法が知られている。
【００１３】
図１は、ＣＳＭＡ（Carrier Sense Multiple Access）方式で送受信される信号の構成の一例を示す図である。ＣＳＭＡ方式を採用する無線通信方式は、例えば、無線ＬＡＮ、Ｂｌｕｅｔｏｏｔｈ（登録商標）、ＷｉＧｉｇ、特定小電力無線、またはＬＰＷＡ（Low Power Wide Area）である。
【００１４】
ＣＳＭＡ方式において、アクセスポイントは、配下に接続される端末の送信タイミングの制御を行う。アクセスポイントは、スーパーフレーム（例えば、図１に示されるスーパーフレーム１、スーパーフレーム２）内の送信タイミングの制御を行う。例えば、アクセスポイントは、スーパーフレーム内の送信タイミングを含むビーコンを送信する。配下に接続される端末は、スーパーフレーム内のＣＳＭＡ期間内にキャリアセンスを実施し、信号を送信する。そのため、アクセスポイントおよび配下に接続される端末は、受信可能な状態である期間が長いため、消費電力の抑制が困難である。
【００１５】
特許文献１には、低速通信と高速通信の２つの通信方式を備え、ゲートウェイからの起動要求に基づいて通信装置の高速通信部を起動し、高速通信のリンクを確立する無線制御システムが開示されている。ゲートウェイからの起動要求がない間は、消費電力の大きい高速通信部の起動が抑制されることにより、通信装置の消費電力が抑制される。
【００１６】
特許文献１に記載された技術においては、比較的容量の大きいデータ（例えば、音声データ）が、ＤＥＣＴ（Digital Enhanced Cordless Telecommunications）を用いて送信される。しかしながら、ＤＥＣＴを用いたシステム（例えば、インカムシステム）の実際の運用においては、データの送受信に用いられるスロットの容量は、比較的小さい。したがって、通信装置とゲートウェイとの間で、音声データに加えて、通信装置の位置推定に用いられる（例えば、１スロット当たり数１００バイトの）比較的容量の大きいデータを、ＤＥＣＴを用いて送受信することは、困難である。
【００１７】
以下、本開示の実施の形態について、図面を参照して詳細に説明する。なお、以下に説明する各実施形態は一例であり、本開示はこれらの実施形態により限定されるものではない。
【００１８】
（実施の形態１）
＜無線通信システムの構成＞
図２は、実施の形態１に係る無線通信システム１０の構成の一例を示す図である。
【００１９】
無線通信システム１０は、制御装置１００と、端末２１０，２２０，２３０と、サーバ３００と、を備える。なお、簡単のため、無線通信システム１０が３つの端末２１０，２２０，２３０を備える一例を説明するが、端末の数は、任意の数であってもよい。制御装置１００は、サーバ３００と有線または無線で接続される。制御装置１００は、端末２１０，２２０，２３０と無線で接続される。
【００２０】
＜制御装置の構成＞
制御装置１００は、第１通信制御部（第１通信回路）１０１と、アンテナ１０１ａと、第２通信制御部（第２通信回路）１０２と、アンテナ１０２ａと、端末スリープ制御部（制御回路）１０３と、インターフェース（ＩＦ）部１０４と、を含む。
【００２１】
第１通信制御部１０１は、端末スリープ制御部１０３の制御に基づき、アンテナ１０１ａを介して、端末２１０，２２０，２３０がそれぞれ有する第１通信部２１１，２２１，２３１の少なくとも１つと無線通信を行う。一例において、第１通信制御部１０１は、アクセス方式としてＴＤＭＡ（Time Division Multiple Access）方式を用いる。ＴＤＭＡ方式を用いた無線通信方式は、例えば、ＤＥＣＴ（Digital Enhanced Cordless Telecommunications）である。
【００２２】
第２通信制御部１０２は、端末スリープ制御部１０３の制御に基づき、アンテナ１０２ａを介して、端末２１０，２２０，２３０がそれぞれ有する第２通信部２１２，２２２，２３２の少なくとも１つと無線通信を行う。一例において、第２通信制御部１０２は、アクセス方式としてＣＳＭＡ方式を用いる。ＣＳＭＡ方式を用いた無線通信方式は、例えば、無線ＬＡＮ、Ｂｌｕｅｔｏｏｔｈ（登録商標）、ＷｉＧｉｇ、特定小電力無線、またはＬＰＷＡである。
【００２３】
一例において、制御装置１００の第１通信制御部１０１と第２通信制御部１０２とは、起動状態にある。ここで、起動状態とは、送受信動作が可能となるように、回路への電力供給が開始または増加された状態をいう。
【００２４】
端末スリープ制御部１０３は、無線通信を介して、端末２１０，２２０，２３０がそれぞれ有する第２通信部２１２，２２２，２３２の少なくとも１つのスリープ制御を行う。例えば、端末スリープ制御部１０３は、第１通信制御部１０１と端末２１０の第１通信部２１１との間の無線通信を介して制御信号を送信することにより、端末２１０の制御部２１３に、第２通信部２１２の起動状態およびスリープ状態の間の遷移を制御するように指示する。
【００２５】
ここで、スリープ状態とは、第２通信部２１２，２２２，２３２が第２通信制御部１０２との間の接続関係を維持し、送受信回路の構成要素への電源供給を低減または遮断した状態をいう。スリープ状態においては、第２通信部２１２，２２２，２３２の消費電力が小さくなる。端末２１０，２２０，２３０は、ユーザが所持して使用するため、バッテリー駆動を前提とし、消費電力の抑制が求められる。したがって、端末スリープ制御部１０３は、第２通信部２１２，２２２，２３２をスリープ状態に遷移させることにより、端末２１０，２２０，２３０の消費電力を抑制する。一方、制御装置１００の第２通信制御部１０２は、電源が確保されていることが多いため、スリープ制御を行わなくてもよい。
【００２６】
ＩＦ部１０４は、第１通信制御部１０１または第２通信制御部１０２とサーバ３００との間の制御信号またはデータ信号の送受信を中継する。ＩＦ部１０４は、無線ＩＦであってもよく、有線ＩＦであってもよい。
【００２７】
＜端末の構成＞
次に、端末２１０（２２０，２３０）の構成を説明する。端末２１０（２２０，２３０）は、第１通信部（第１通信回路）２１１（２２１，２３１）と、アンテナ２１１ａ，２１２ａ（２２１ａ，２２２ａ，２３１ａ，２３２ａ）と、第２通信部（第２通信回路）２１２（２２２，２３２）と、制御部（制御回路）２１３（２２３，２３３）と、記憶部２１４（２２４，２３４）と、を備える。端末２２０および端末２３０の構成は、いずれも端末２１０の構成と同様であるので、端末２１０の構成について説明する。
【００２８】
第１通信部２１１は、制御装置１００の第１通信制御部１０１から受信した指示に基づいて、アンテナ２１１ａを介して第１通信制御部１０１との間で無線信号の送受信を行う。また、第１通信部２１１は、第１通信制御部１０１と、他の端末２２０，２３０の第１通信部２２１，２３１と、が送信する無線信号を受信し、無線信号の受信信号強度（ＲＳＳＩ）を測定する。
【００２９】
第２通信部２１２は、制御部２１３からの制御に基づいて、起動状態またはスリープ状態に遷移する。さらに、第２通信部２１２は、起動状態において、制御部２１３からの制御に基づいてアンテナ２１２ａを介して制御装置１００の第２通信制御部１０２との間でパケットの送受信を行う。
【００３０】
制御部２１３は、第１通信部２１１による制御信号の受信に応じて、第２通信部２１２が起動状態またはスリープ状態に遷移するように、第２通信部２１２を制御する。制御部２１３は、第２通信部２１２の起動状態において、記憶部２１４が保持するＲＳＳＩ情報を読み出す。次いで、制御部２１３は、読み出したＲＳＳＩ情報を制御装置１００に通知するように、第２通信部２１２を制御する。
【００３１】
記憶部２１４は、第１通信部２１１が測定した信号のＲＳＳＩを記憶するが、例えば、信号に含まれる送信元を識別する識別情報と合わせて記憶してもよい。
【００３２】
＜サーバ＞
サーバ３００は、制御装置１００から収集したＲＳＳＩ情報に基づいて、端末２１０，２２０，２３０の位置推定を行う。例えば、サーバ３００は、収集したＲＳＳＩ情報に基づいて、端末２１０，２２０，２３０および制御装置１００の間の距離を算出する。次いで、サーバ３００は、算出された距離に基づいて、端末２１０，２２０，２３０および制御装置１００の間の相対位置を算出する。次いで、サーバ３００は、絶対位置が既知の無線ノード（例えば、制御装置１００と端末２３０）の絶対位置と、算出された相対位置とに基づいて、無線ノード（例えば、端末２１０，２２０）の位置を推定する。
【００３３】
＜ネットワークトポロジ＞
次に、図２を参照して、ネットワークトポロジの一例を説明する。
【００３４】
図２に示されるように、制御装置１００の第１通信制御部１０１は、端末２１０の第１通信部２１１と、端末２２０の第１通信部２２１と、端末２３０の第１通信部２３１と、の少なくとも１つに接続される。第１通信制御部１０１と、第１通信部２１１，２２１，２３１との間の接続により、ネットワークＮＷ１が形成される。第１通信制御部１０１は、ネットワークＮＷ１上の端末制御及び送受信タイミングの制御を行う。すなわち、第１通信制御部１０１は、ＮＷ１における制御装置として機能する。
【００３５】
また、図２に示されるように、制御装置１００の第２通信制御部１０２は、端末２１０の第２通信部２１２と、端末２２０の第２通信部２２２と、端末２３０の第２通信部２３２と、の少なくとも１つに接続される。第２通信制御部１０２と、第２通信部２１２，２２２，２３２との間の接続により、ネットワークＮＷ２が形成される。第２通信制御部１０２は、ネットワークＮＷ２上の端末制御及びスロット制御を行う。すなわち、第２通信制御部１０２は、ＮＷ２における制御装置として機能する。
【００３６】
図３は、実施の形態１に係るネットワークＮＷ１上で送受信される信号の構成（フォーマット）の一例を示す図である。図３に示される一例は、ＤＥＣＴのフレーム構成である。
【００３７】
１フレームは、例えば、それぞれが長さ１０ｍｓのスロットＳ１からスロットＳ２４までの計２４個のスロットを含む。スロットＳ１からスロットＳ１２までは、上りスロットである。スロットＳ１３からスロットＳ２４までは、下りスロットである。ここで、上りとは、端末２１０，２２０，２３０から制御装置１００への送信方向に相当する。また、ここで、下りとは、制御装置１００から端末２１０，２２０，２３０への送信方向に相当する。スロットＳ１〜スロットＳ２４は、それぞれ、同期フィールド（Sync-Field）、制御フィールド（A-Field）、データフィールド（B-Field）、X/ZおよびGuard-Spaceから構成される。第１通信制御部１０１と第１通信部２１１とは、A-Fieldを用いて制御信号を送受信し、B-Fieldを用いてデータを送受信する。
【００３８】
図４は、実施の形態１に係るサーバ３００がＲＳＳＩ情報４０７を収集する動作シーケンスの一例を示す図である。図４に示される動作シーケンスを実行することにより、サーバ３００は、ＲＳＳＩ情報４１２を取得できる。
【００３９】
まず、サーバ３００は、ＲＳＳＩ取得メッセージ４０１を、制御装置１００の端末スリープ制御部１０３に通知する。ＲＳＳＩ取得メッセージ４０１を通知された端末スリープ制御部１０３は、端末２１０の第２通信部２１２を起動状態に遷移させるために、起動要求メッセージ４０２を第１通信制御部１０１に通知する。
【００４０】
第１通信制御部１０１は、起動要求メッセージ４０２に基づき、起動要求パケット４０３を端末２１０の第１通信部２１１に送信する。第１通信制御部１０１は、例えば、スロットに起動要求を示す起動フラグを設定することにより、端末２１０の第１通信部２１１に通知する。
【００４１】
次いで、端末２１０の第１通信部２１１は、起動要求パケット４０３の受信に応じて、起動要求メッセージ４０４を制御部２１３に通知する。制御部２１３は、起動要求メッセージ４０４に基づき、第２通信部２１２をスリープ状態から起動状態に復帰させるための起動要求メッセージ４０５を第２通信部２１２に通知する。
【００４２】
第２通信部２１２は、起動要求メッセージ４０５の通知に基づいて、第２通信部２１２内の通信回路を起動し、起動状態に遷移する。第２通信部２１２は、起動完了後、起動が完了したことを示す起動完了メッセージ４０６を制御部２１３に通知する。制御部２１３は、起動完了メッセージ４０６を受信後、記憶部２１４に記憶させたＲＳＳＩ情報４０７を読み出す。
【００４３】
次いで、制御部２１３は、読み出したＲＳＳＩ情報４０７を含むＲＳＳＩ情報パケット４０８を第２通信部２１２に通知する。第２通信部２１２は、例えば、第１通信部２１１に割り当てられ、データパケット４０９を送信するスロットに同期して、ＲＳＳＩ情報４０７を含むＲＳＳＩ情報パケット４１０を制御装置１００の第２通信制御部１０２へ送信する。端末２１０の第２通信部２１２は、ＲＳＳＩ情報パケット４１０を送信後、スリープ状態へ遷移する。端末２１０のスリープ状態への遷移により、端末２１０の消費電力が抑制される。
【００４４】
制御装置１００の第２通信制御部１０２は、受信したＲＳＳＩ情報パケット４１０からＲＳＳＩ情報４０７を抽出し、抽出したＲＳＳＩ情報４０７を含むＲＳＳＩ情報メッセージ４１１を端末スリープ制御部１０３に通知する。ＲＳＳＩ情報メッセージ４１１を通知された端末スリープ制御部１０３は、ＲＳＳＩ情報メッセージ４１１からＲＳＳＩ情報４０７を抽出し、抽出したＲＳＳＩ情報４０７を含むＲＳＳＩ情報メッセージ４１２をサーバ３００に通知する。サーバ３００は、通知されたＲＳＳＩ情報メッセージ４１２に含まれるＲＳＳＩ情報４０７に基づいて、端末２１０の位置を推定する。
【００４５】
図５は、実施の形態１に係る制御装置１００における送受信タイムチャートの一例を示す図である。図５の横軸は、時間軸である。
【００４６】
図５には、制御装置１００の第１通信制御部１０１が端末２１０，２２０，２３０に割り当てたスロットＳ１１〜Ｓ１６，Ｓ２１〜Ｓ２６が示されている。ここで、簡単の為に、図５に示されるように、１フレームに含まれるスロットの数を６スロットとして説明する。６スロットＳ１１〜Ｓ１６（Ｓ２１〜Ｓ２６）のうち、３スロットＳ１１〜Ｓ１３（Ｓ２１〜Ｓ２３）は、上りスロットであり、残りの３スロットＳ１４〜Ｓ１６（Ｓ２４〜Ｓ２６）は、下りスロットである。
【００４７】
上りスロットＳ１１〜Ｓ１３（またはＳ２１〜Ｓ２３）は、それぞれ、制御装置１００から、端末２１０，２２０，２３０への送信権を割り当てたスロットである。下りスロットＳ１４〜Ｓ１６（またはＳ２４〜Ｓ２６）は、それぞれ、端末２１０，２２０，２３０から制御装置１００への方向の送信権を割り当てたスロットである。
【００４８】
さらに、図５には、制御装置１００の第１通信制御部１０１が送信するパケットＰ１１１，Ｐ１１２，Ｐ１１３，Ｐ１２１，Ｐ１２２，Ｐ１２３が示されている。第１通信制御部１０１は、スロットＳ１１（Ｓ２１）で、パケットＰ１１１（Ｐ１２１）を端末２１０の第１通信部２１１に送信する。パケットＰ１１１（Ｐ１２１）は、第２通信部２１２を起動状態に遷移させる指示と、第２通信部２１２にＲＳＳＩ情報を送信させる指示と、を含む。同様に、第１通信制御部１０１は、スロットＳ１２（Ｓ１３）で、パケットＰ１１２（Ｐ１１３）を端末２２０の第１通信部２２１（２３１）に送信する。
【００４９】
さらに、図５には、端末２１０の第１通信部２１１が送信するパケットＰ１１４，Ｐ１２４が示されている。端末２１０の第１通信部２１１は、端末２１０に送信権が割り当てられたスロットＳ１４（Ｓ２４）で、例えば、データパケットＰ１１４（Ｐ１２４）を送信する。データパケットＰ１１４（Ｐ１２４）に含まれるデータは、例えば、音声データまたは映像データである。
【００５０】
さらに、図５には、端末２１０の第２通信部２１２が送信するパケットＰ２１４，Ｐ２２４が示されている。端末２１０の制御部２１３は、スロットＳ１１（Ｓ２１）で送信されるパケットＰ１１１（Ｐ１２１）に含まれる、第２通信部２１２を起動状態に遷移させる指示に基づいて、端末２１０に送信権が割り当てられたスロットＳ１４に同期して第２通信部２１２を起動させる。さらに、端末２１０の制御部２１３は、パケットＰ１１１（Ｐ１２１）に含まれる、第２通信部２１２にＲＳＳＩ情報を送信させる指示に基づいて、記憶部２１４からＲＳＳＩ情報を読み出し、ＲＳＳＩ情報を含むパケットを生成し、第２通信部２１２へ出力する。次いで、第２通信部２１２は、スロットＳ１４（Ｓ２４）に同期したタイミングで、ＲＳＳＩ情報を含むパケットＰ２１４（Ｐ２２４）を制御装置１００の第２通信制御部１０２に送信し、その後、スリープモードへ遷移する。
【００５１】
制御装置１００の端末スリープ制御部１０３は、端末２１０の第２通信部２１２の起動タイミング（または、ＲＳＳＩ情報を送信するタイミング）を周期的に割り当ててもよい。図５に示される一例においては、端末２１０の第２通信部２１２の起動タイミングは、６スロット毎に割り当てられている。例えば、サーバ３００が所望するＲＳＳＩ情報の取得間隔に応じて、第２通信部２１２の起動タイミングを決定してもよい。
【００５２】
さらに、図５には、端末２２０（２３０）の第２通信部２２２（２３２）が送信するパケットＰ２１５，Ｐ２２５（Ｐ２１６，Ｐ２２６）が示されている。同様に、端末２２０（２３０）の第２通信部２２２（２３２）は、端末２２０（２３０）に送信権が割り当てられたスロットＳ１５，Ｓ２５（Ｓ１６，Ｓ２６）に同期したタイミングで、ＲＳＳＩ情報を含むパケットＰ２１５，Ｐ２２５（Ｐ２１６，Ｐ２２６）を制御装置１００の第２通信制御部１０２に送信し、その後、スリープモードへ遷移する。なお、端末２２０，２３０の第１通信部２２１，２３１も、それぞれ、制御装置１００の第１通信制御部１０１にパケット（図示せず）を送信する。
【００５３】
図５の最下部には、端末２１０の第２通信部２１２の消費電力の一例が示される。実施の形態１に係る第２通信部２１２の消費電力が、実線で示されている。比較のために、第２通信部２１２が受信待ち受け状態である場合の第２通信部２１２の消費電力が、破線で示されている。
【００５４】
第２通信部２１２がＣＳＭＡ方式で運用されている場合、ＲＳＳＩ情報の送信要求をいつ制御装置１００から受信するか分からない。したがって、本開示を適用しない場合、第２通信部２１２は、ＲＳＳＩ情報の送信要求を受信するために、長期間、受信待ち受け状態である。これに対して、本開示を適用した場合、第２通信部２１２は、第１通信部２１１のスロット情報に基づいて、起動状態またはスリープ状態の間を遷移し、スロット情報に基づいて起動状態の時間が間欠的に制御されるので、受信待ち受け状態にならない。スリープ状態における第２通信部２１２の消費電力は、受信待ち受け状態における第２通信部２１２の消費電力の、例えば、数十分の一である。したがって、本開示を適用することにより、第２通信部２１２の消費電力を抑制でき、端末２１０全体の消費電力も抑制できる。
【００５５】
（他の実施の形態）
実施の形態１においては、第２通信部２１２，２２２，２３２は、制御装置１００からの指示に応じて、起動状態に遷移し、ＲＳＳＩ情報パケットを送信した。しかしながら、第２通信部２１２，２２２，２３２が起動状態に遷移し、ＲＳＳＩ情報パケットを送信するタイミングは、制御装置１００からの指示を受けた場合に限られない。例えば、第２通信部２１２，２２２，２３２は、それぞれ、端末２１０，２２０，２３０が決定したタイミングで、起動状態に遷移し、ＲＳＳＩ情報パケットを送信する実施の形態も考えられる。一例において、タイミングは、端末２１０，２２０，２３０において発話、ボタン（図示せず）押下といったイベントが発生したタイミングであってもよい。例えば、端末２１０は、発話を検出する音声センサ（図示せず）を備え、音声センサによる発話の検出に応じて、端末２１０の制御部２１３は、記憶部２１４からＲＳＳＩ情報を読み出し、ＲＳＳＩ情報パケットを、第２通信部２１２に送信させる。これにより、無線通信システム１０は、イベントが発生した位置を推定できる。
【００５６】
実施の形態１においては、第２通信部２１２は、第１通信部２１１がパケットＰ１１４を送信したタイミングで、第２通信部２１２がパケットＰ２１４を送信した。しかしながら、第１通信部２１１の送信タイミングと第２通信部２１２の送信タイミングの同期の形態は、これに限られない。例えば、第２通信部２１２がパケットＰ２１４を送信するタイミングは、第１通信部２１１がパケットＰ１１４を送信したスロットＳ１４が含まれるフレームの１フレーム後の対応するスロットＳ２４であってもよく、スロットＳ１４の１つ後のスロットＳ１５であってもよい。
【００５７】
上述の実施の形態においては、各構成要素に用いる「・・・部」という表記は、「・・・回路（circuitry）」、「・・・デバイス」、「・・・ユニット」、又は、「・・・モジュール」といった他の表記に置換されてもよい。
【００５８】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集化を行ってもよい。バイオ技術の適用等が可能性としてありえる。
【００５９】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【００６０】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【００６１】
通信には、セルラーシステム、無線ＬＡＮシステム、通信衛星システム等によるデータ通信に加え、これらの組み合わせによるデータ通信も含まれる。また、通信装置には、本開示に記載される通信機能を実行する通信デバイスに接続又は連結される、コントローラやセンサ等のデバイスも含まれる。例えば、通信装置の通信機能を実行する通信デバイスが使用する制御信号やデータ信号を生成するような、コントローラやセンサが含まれる。
【００６２】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【００６３】
本開示に係る無線端末は、時分割多重アクセス方式のタイムスロットに同期して受信された下り無線信号の受信強度情報を検出する第１通信回路と、キャリアセンスを用いたアクセス方式によって上り無線信号を送信する第２通信回路と、前記受信強度情報の送信イベントが検出された場合に、前記受信強度情報を前記上り無線信号において前記タイムスロットに同期したタイミングで送信するために前記第２通信回路を起動状態に制御する制御回路と、を備える。
【００６４】
本開示に係る無線端末において、前記制御回路は、前記タイムスロットに同期して前記第２通信回路に前記受信強度情報を送信させるための制御信号を前記第２通信回路に出力する。
【００６５】
本開示に係る無線端末において、前記制御回路は、前記受信強度情報の送信後に前記第２通信回路をスリープ状態に制御するための制御信号を前記第２通信回路に出力する。
【００６６】
本開示に係る無線端末において、前記送信イベントは、制御装置からの前記受信強度情報の送信要求を示す下り無線信号の受信が検出されたことである。
【００６７】
本開示に係る無線端末において、前記送信イベントは、前記第１通信回路において前記制御装置宛の送信データの発生が検出されたことである。
【００６８】
本開示に係る無線端末において、前記送信データは、音声データである。
【００６９】
本開示に係る制御装置は、時分割多重アクセス方式のタイムスロットに同期して、受信電界強度情報の送信要求を示す下り無線信号を送信する第１通信回路と、前記送信要求の受信に応じてキャリアセンスを用いたアクセス方式が起動状態に制御された端末から、前記端末での前記下り無線信号の受信強度情報を、前記キャリアセンスを用いたアクセス方式によって前記タイムスロットに同期して送信された上り無線信号において受信する第２通信回路と、を備える。
【００７０】
本開示に係る制御装置において、前記端末から受信した前記受信強度情報を、前記端末の位置を推定するサーバへ出力する。
【００７１】
本開示に係る無線通信システムは、本開示に係る無線端末と、本開示に係る制御装置と、を備える。
【産業上の利用可能性】
【００７２】
本開示は、無線通信システムに有用である。
【符号の説明】
【００７３】
１０  無線通信システム
１００  制御装置
１０１  第１通信制御部
１０１ａ  アンテナ
１０２  第２通信制御部
１０２ａ  アンテナ
１０３  端末スリープ制御部
１０４  ＩＦ部
２１０，２２０，２３０  端末
２１１，２２１，２３１  第１通信部
２１１ａ，２２１ａ，２３１ａ  アンテナ
２１２，２２２，２３２  第２通信部
２１２ａ，２２２ａ，２３２ａ  アンテナ
２１３，２２３，２３３  制御部
２１４，２２４，２３４  記憶部
３００  サーバ
【図１】
2020092356.tif 000003
【図２】
2020092356.tif 000004
【図３】
2020092356.tif 000005
【図４】
2020092356.tif 000006
【図５】
2020092356.tif 000007